(57)【特許請求の範囲】
【請求項１】
ゲートラインとデータラインの間に液晶セルがマトリックス配置される液晶表示装置の駆動方法において、前記ゲートラインにゲート駆動信号を順次印加してライン別に順次走査する段階と、前記走査ラインの中に第１走査ラインが走査される間に相互に隣接した画素の同一色の液晶セルにマルチプレクサによりデータを順次供給する段階と、前記第１走査ラインに隣接した第２走査ラインが走査される間に相互に隣接した画素の同一色の液晶セルにデータを供給する順序を前記第１走査ラインのデータ供給順序と異なるようにする段階とを含み、前記同一色の画素が、異なる色の画素の間に配置されていることを特徴とする液晶表示装置の駆動方法。
【請求項２】
前記第１ラインで相互に隣接した第１色の第１及び第２液晶セルの中の第１液晶セルにデータを供給した後に第２液晶セルにデータを供給する段階と、第２色の第３及び第４液晶セルの中の第４液晶セルにデータを供給した後に第３液晶セルにデータを供給する段階と、第３色の第５及び第６液晶セルの中の第５液晶セルにデータを供給した後に第６液晶セルにデータを供給する段階とを含むことを特徴とする請求項１記載の液晶表示装置の駆動方法。
【請求項３】
前記第１色は赤色、第２色は緑色そして第３色は青色であることを特徴とする請求項２記載の液晶表示装置の駆動方法。
【請求項４】
前記第２ラインで第２液晶セルにデータを供給した後に第１液晶セルにデータを供給する段階と、第３液晶セルにデータを供給した後に第４液晶セルにデータを供給する段階と、第６液晶セルにデータを供給した後に第５液晶セルにデータを供給する段階とを含むことを特徴とする請求項２記載の液晶表示装置の駆動方法。
【請求項５】
前記第１色は赤色、第２色は緑色そして第３色は青色であることを特徴とする請求項４記載の液晶表示装置の駆動方法。
【請求項６】
ゲートラインとデータラインの間に液晶セルがマトリックス配置されて前記フレーム別で極性を反転させる液晶表示装置の駆動方法において、前記毎フレームごとに前記ゲートラインにゲート駆動信号を順次印加してフレーム別に順次走査する段階と、前記フレームの中の第１フレームで相互に隣接した画素の同一色の液晶セルにマルチプレクサによりデータを特性の順に順次供給する段階と、前記第１フレームに続く第２フレームで相互に隣接した画素の同一色の液晶セルにデータを供給する順序を前記第１フレームのデータ供給順序と異なるようにする段階、前記第２フレームに続く第３フレームのデータ供給順序と同一に設定する段階と、第３フレームに続く第４フレームのデータ供給順序を前記第１フレームのデータ供給順序と同一に設定する段階と、前記第１フレームから第４フレームの順序を周期的に繰り返してデータを供給する段階とを含み、前記同一色の画素が、異なる色の画素の間に配置されていることを特徴とする液晶表示装置の駆動方法。
【請求項７】
前記第１フレームで相互に隣接した第１色の第１及び第２液晶セルの中の第１液晶セルにデータを供給した後に第２液晶セルにデータを供給する段階と、第２色の第３及び第４液晶セルの中の第４液晶セルにデータを供給した後に第３液晶セルにデータを供給する段階と、第３色の第５及び第６液晶セルの中の第５液晶セルにデータを供給した後に第６液晶セルにデータを供給する段階とを含むことを特徴とする請求項６記載の液晶表示装置の駆動方法。
【請求項８】
前記第１色は赤色、第２色は緑色、そして第３色は青色であることを特徴とする請求項７記載の液晶表示装置の駆動方法。
【請求項９】
前記第２フレームで第２液晶セルにデータを供給した後に第１液晶セルにデータを供給する段階と、第３液晶セルにデータを供給した後に第４液晶セルにデータを供給する段階と、第６液晶セルにデータを供給した後に第５液晶セルにデータを供給する段階とを含むことを特徴とする請求項７記載の液晶表示装置の駆動方法。
【請求項１０】
前記第１色は赤色、第２色は緑色、そして第３色は青色であることを特徴とする請求項９記載の液晶表示装置の駆動方法。
【発明の詳細な説明】
【０００１】
【発明の属する技術分野】
本発明は液晶表示装置に関し、特に液晶表示装置のマルチプレクサを利用した駆動方法で均一度を向上させることができるようにした液晶表示装置の駆動方法に関する。
【０００２】
【従来の技術】
通常、液晶表示装置はゲートラインとデータライン間の交差部に配列された画素マトリックスを利用してテレビジョン信号のようなビデオ信号を表示する。ここで、各画素のデータ信号に基づいて光透過量を調節する液晶セルとデータラインから液晶セルに供給されるデータ信号を切り換えるための薄膜トランジスタ（Thin Film Transistor：″ＴＦＴ″）で構成される。画素マトリックスは二つのガラス基板の間に位置する。液晶表示装置にはゲートラインとデータラインを駆動するための駆動集積回路が含まれている。
【０００３】
従来の液晶表示装置でのデータラインを駆動するための駆動集積回路は６マルチプレクサを利用して液晶表示装置のデータラインに信号を供給する。
【０００４】
図１のように、本発明による液晶パネルを駆動するためのデータドライバを図示したブロック図に示したように、データ駆動集積回路と液晶パネル（３）の間に連結された６マルチプレクサ・ブロック（Multiplexer Block）（２）とを具備する。
【０００５】
データドライバ（１）からの出力（ＤＬからＤＬｎ）がマルチプレクサ・ブロック（２）に供給される。このマルチプレクサ・ブロック（２）は６つのマルチプレクサ（Multiplexer：以下“ＭＵＸ”という）を利用して、供給された信号をマルチプレシングして液晶パネル（３）のデータラインに順次供給する。
【０００６】
図２に示したように、マルチプレクサ・ブロック（２）は各データドライバ（１）の出力（ＤＬ１からＤＬｎ）に接続された６つずつのマルチプレクサで構成される。
【０００７】
各ＭＵＸのソース端子にはデータドライバ（１）の出力（ＤＬ１からＤＬｎ）が供給されて、各ＭＵＸのゲート端子には図３でのようなゲートパルスが順次供給されることでターン・オンされる。これに基づいてデータ信号はドレーン端子を通してデータラインの停電容量に貯蔵される。以後、ゲート（Gate）パルスがオフ（Off）される直前まで図示しない画素電極にデータ信号が充電される。
【０００８】
図３はゲートパルスを供給するための６ＭＵＸのターン・オン順序を図示する。
【０００９】
図３に示したように、第１ラインで相互に隣接した第１色の第１及び第２液晶セルの中の第１液晶セルにデータを供給した後に第２液晶セルにデータを供給して、第２色の第３及び第４液晶セルの中の第４液晶セルにデータを供給した後に第３液晶セルにデータを供給して、第３色の第５及び第６液晶セルの中の第５液晶セルにデータを供給した後に第６液晶セルにデータを供給する。ここで、第１色は赤色、第２色は緑色そして第３色は青色である。
【００１０】
このように、ＭＵＸを順次ターン・オンさせそれぞれのデータラインの液晶セルに供給する。
【００１１】
ＭＵＸ駆動では各ＭＵＸにゲートパルスが印加されるとデータラインの停電容量にデータ信号が貯蔵されて、ゲート（Gate）パルスがオフ（Off）される直前まで画素電極にデータ信号が充電される方式である。従って、液晶パネル（３）のデータラインから供給されて画素電極に充電される時間に関しては図４のように、充電特性の差によるデータラインの間の電圧の差が発生する。
【００１２】
図４を説明すると、データ１からデータ６の電圧波形でゲートパルスがターン・オンしてターン・オフされる時点即ち、サンプリング時点で点線のようにそれぞれの電圧の差が発生することが分かる。また図５のように漏洩電流によるデータラインの間に電圧の差が発生する。
【００１３】
図５に示したように、データ１からデータ６の電圧波形でゲートパルスがターン・オンしてターン・オフされる時点即ち、サンプリング時点で点線のようにそれぞれの電圧の差が発生することが分かる。これに基づいて、６ＭＵＸ駆動方式ではデータ印加時にデータライン間のカップリングによる縞模様の発生を除去するために、ＭＵＸ１とＭＵＸ２期間には赤色を、ＭＵＸ３とＭＵＸ４期間には緑色を、ＭＵＸ５とＭＵＸ６期間には青色を印加する。
【００１４】
このような場合、常温の動作時には問題が発生しない。しかし低温の動作或いは移動等の電圧低下時にＭＵＸ間の充電特性の差が特に、ＭＵＸ５とＭＵＸ６の充電時間が最も短いために液晶パネルに縞模様が表れる。また、漏洩電流が多い場合にはＭＵＸを通して充電されたデータラインの電圧が維持されるべき時間（ＭＵＸ turn-on  から  Gate-off）がＭＵＸ番号別に異なって液晶パネル上に画質不良問題点が発生する。
【００１５】
従って、ライン形態の不良による微細な電圧の差が発生して人の目に容易に認識される。
【００１６】
【発明が解決しようとする課題】
本発明の目的は液晶表示装置のマルチプレクサを利用した駆動方法で、均一度を向上させることができる液晶表示装置の駆動方法を提供することである。
【００１７】
【課題を解決するための手段】
前記目的を達成するために、本発明による液晶表示装置の駆動方法は、ゲートラインとデータラインの間に液晶セルがマトリックス配置される液晶表示装置の駆動方法において、ゲートラインにゲート駆動信号を順次印加してライン別に順次走査する段階と、走査ライン等の中に第１走査ラインが走査される間に相互に隣接した同一色の液晶セルにデータを供給する段階と、第１走査ラインに隣接した第２走査ラインが走査される間に相互に隣接した同一色の液晶セルにデータを供給する順序を前記第１走査ラインのデータ供給順序と異なるようにする段階とを含む。
【００１８】
本発明による液晶表示装置の駆動方法は第１ラインで相互に隣接した第１色の第１及び第２液晶セルの中の第１液晶セルにデータを供給した後に第２液晶セルにデータを供給する段階と、第２色の第３及び第４液晶セルの中の第４液晶セルにデータを供給した後に第３液晶セルにデータを供給する段階と、第３色の第５及び第６液晶セルの中の第５液晶セルにデータを供給した後に第６液晶セルにデータを供給する段階とを含む。
【００１９】
本発明による液晶表示装置の駆動方法は第２ラインで第２液晶セルにデータを供給した後に第１液晶セルにデータを供給する段階と、第３液晶セルにデータを供給した後に第４液晶セルにデータを供給する段階と、第６液晶セルにデータを供給した後に第５液晶セルにデータを供給する段階とを含む。
【００２０】
本発明による液晶表示装置の駆動方法は毎フレームごとに前記ゲートラインにゲート駆動信号を順次印加してフレーム別に順次走査する段階と、フレームの中の第１フレームで相互に隣接した同一色の液晶セルにデータを特性の順に供給する段階と、第１フレームに続く第２フレームで相互に隣接した同一色の液晶セルにデータを供給する順序を前記第１フレームのデータ供給順序と異なるようにする段階、第２フレームに続く第３フレームのデータ供給順序と同一に設定する段階と、第３フレームに続く第４フレームのデータ供給順序を第１フレームのデータ供給順序と同一に設定する段階と、第１フレームから第４フレームの順序を周期的に繰り返してデータを供給する段階とを含む。
【００２１】
本発明による液晶表示装置の駆動方法は第１フレームで相互に隣接した第１色の第１及び第２液晶セルの中の第１液晶セルにデータを供給した後に第２液晶セルにデータを供給する段階と、第２色の第３及び第４液晶セルの中の第４液晶セルにデータを供給した後に第３液晶セルにデータを供給する段階と、第３色の第５及び第６液晶セルの中の第５液晶セルにデータを供給した後に第６液晶セルにデータを供給する段階とを含む。ここで、第１色は赤色、第２色は緑色そして第３色は青色であることを特徴とする。
【００２２】
本発明による液晶表示装置の駆動方法は第２フレームで第２液晶セルにデータを供給した後に第１液晶セルにデータを供給する段階と、第３液晶セルにデータを供給した後に第４液晶セルにデータを供給する段階と、第６液晶セルにデータを供給した後に第５液晶セルにデータを供給する段階とを含む。
【００２３】
前記の目的以外の本発明による目的及び利点を、添付した図面を参照した本発明の好ましい実施例に対する説明を通して明らかにする。
【００２４】
【作用】
本発明による液晶表示装置の駆動方法は、低温動作或いは移動等の電圧低下時にマルチプレクサ間の特性の差で発生する縞模様状の画質不良を、マルチプレクサのターン・オンの順序をフレームまたはラインごとに変えることで液晶パネルに表れる縦の縞模様を除去して歪曲のない画像表現を可能とするものである。
【００２５】
【発明の実施態様】
以下、本発明の実施例を添付した図６から図１２を参照して詳細に説明する。
【００２６】
図６は本発明の実施例によるライン別のインバージョンの場合のゲートパルスに対するＭＵＸのターン・オン順序を表す波形図である。
【００２７】
図６に示したように、第１ラインで相互に隣接した第１色の第１及び第２液晶セルの中の第１液晶セルにデータを供給した後に第２液晶セルにデータを供給して、第２色の第３及び第４液晶セルの中の第４液晶セルにデータを供給した後に第３液晶セルにデータを供給して、第３色の第５及び第６液晶セルの中の第５液晶セルにデータを供給した後に第６液晶セルにデータを供給する。また、第２ラインで第２液晶セルにデータを供給した後に第１液晶セルにデータを供給して、第３液晶セルにデータを供給した後に第４液晶セルにデータを供給して、第６液晶セルにデータを供給した後に第５液晶セルにデータを供給する。ここで、第１色は赤色、第２色は緑色そして第３色は青色である。
【００２８】
図７に示したように、各ＭＵＸのソース端子にはデータドライバ（１）の出力（ＤＬ１からＤＬｎ）が供給されて、各ＭＵＸのゲート端子には図６に示すようなゲートパルスが順次供給されることでターン・オンされる。これに基づいて、データ信号はドレーン端子を通してデータラインの停電容量に貯蔵される。以後、ゲート（Gate）パルスがオフ（Off）される直前まで図示しない画素電極にデータ信号が充電される。
【００２９】
ＭＵＸ駆動では各ＭＵＸにゲートパルスが印加されるとデータラインの停電容量にデータ信号が貯蔵されて、ゲート（Gate）パルスがオフ（Off）される直前まで画素電極にデータ信号が充電される方式である。従って、液晶パネル（３）のデータラインから供給されて画素電極に充電される時間は図８のように充電特性の差によるデータラインの間の電圧の差が発生する。
【００３０】
図８において、データ１からデータ６の電圧波形でゲートパルスがターン・オンしてターン・オフ即ちサンプリング時点１では点線のようにそれぞれの電圧の差が発生し、サンプリング時点２でも若干の電圧の差が発生する。また図９のように充電不足によるデータラインの間に電圧の差が見られる。
【００３１】
図９において、データ１からデータ６の電圧波形でゲートパルスがターン・オンしてターン・オフすると、即ち、サンプリング時点１とサンプリング時点で点線のように充電不足による電圧の差が発生する。
【００３２】
しかし、図６のようにライン別で６つのＭＵＸのターン・オン順序を変えることで、ゲートラインごとにＭＵＸの順序が異なって縞模様の画質不良は現れない。特に高解像図画面の場合に隣接画素の平均的な明るさが目に認識されるから充電不良及び漏洩電流によってデータラインの間の電圧の差が発生しても１０ｂのように鮮明な画質が得られる。
【００３３】
これは本発明と従来の駆動方法の画質を比較した図１０ａ及び図１０ｂから明らかである。
【００３４】
図１０ａにおいて、従来の駆動方法は画素電極に充電される電圧の差によって液晶パネルに縦の縞模様が発生するのに反し、図１０ｂのように本発明の駆動方法はＭＵＸのターン・オン順序を変えることで液晶パネルに表れる縦の縞模様が除去されることが分かる。
【００３５】
図１１は本発明の実施例によるフレーム別のインバージョンの場合の信号の波形を図示した図面である。
【００３６】
図１１において、第１フレームで相互に隣接した第１色の第１及び第２液晶セルの中の第１液晶セルにデータを供給した後に第２液晶セルにデータを供給して、第２色の第３及び第４液晶セルの中の第４液晶セルにデータを供給した後に第３液晶セルにデータを供給して、第３色の第５及び第６液晶セルの中の第５液晶セルにデータを供給した後に第６液晶セルにデータを供給する。
【００３７】
第２フレームの第２ラインで第２液晶セルにデータを供給した後に第１液晶セルにデータを供給して、第３液晶セルにデータを供給した後に第４液晶セルにデータを供給して、第６液晶セルにデータを供給した後に第５液晶セルにデータを供給する。
【００３８】
第３フレームのデータ供給順序を前記第２フレームのデータ供給順序と同一に供給して、第４フレームのデータ供給順序を前記第１フレームのデータ供給順序と同一に供給する。ここで、第１色は赤色、第２色は緑色そして第３色は青色である。
【００３９】
このように、第４フレームを周期的に液晶セルに供給し液晶パネルに表す縦の縞模様を除去して鮮明な画質が得られる。
【００４０】
図１２はＭＵＸによって供給される液晶表示装置の奇数、偶数液晶セルに供給される信号の波形を現す波形図である。
【００４１】
図１２に示すように、フレームごとにＭＵＸのターン・オン順序を変える場合には１フレームから４フレームを平均すると、すべて強い実効電圧を有する。各フレーム内で画素電極に充電される電圧の差が発生しても時間的に平均化されて視覚的に均一な画面が得られる。ここで、４つのフレームについて繰り返す理由は各画素に直流のオフセット電圧の発生を防ぐためである。
【００４２】
このように、本発明による液晶表示装置の駆動方法はフレームごとに或いはラインごとにＭＵＸのターン・オンの順序を変えることで充電特性の差及び漏洩電流によって発生の可能なデータラインの間の電圧の不均衡を平均化する効果によって減少させることができる。
【００４３】
【発明の効果】
上述したように、本発明による液晶表示装置の駆動方法は低温動作或いは移動等の電圧低下時にマルチプレクサ間の特性の差で発生する縞模様状の画質不良をマルチプレクサのターン・オンの順序をフレームまたはラインごとに変えることで液晶パネルに表れる縦の縞模様を除去して歪曲のない画像表現を可能にする。
【００４４】
以上説明した内容を通して当業者であれば本発明の技術思想を逸脱しない範囲で多様な変更及び修正の可能性を理解するであろう。従って、本発明の技術的な範囲は明細書の詳細な説明に記載された内容に限らず特許請求の範囲によって定めなければならない。
【図面の簡単な説明】
【図１】  図１は液晶パネルのデータラインの駆動装置を簡略に図示したブロック図である。
【図２】  図２は図１に図示したマルチプレクサブロックの構成を表す回路図である。
【図３】  図３はマルチプレクサ・ターン・オンの周期を表す波形図である。
【図４】  図４は漏洩電流によるデータラインの間の電圧の差を表す波形図である。
【図５】  図５は充電特性の差によるデータラインの間の電圧の差を表す波形図である。
【図６】   図６は本発明によるライン別のインバージョン方式のマルチプレクサのターン・オンの周期を表す波形図である。
【図７】  図７はマルチプレクサブロックの構成を表す回路図である。
【図８】   図８は漏洩電流によるデータラインの間の電圧の差を表す波形図である。
【図９】   図９は充電特性の差によるデータラインの間の電圧の差を表す波形図である。
【図１０】  図１０ａ及び図１０ｂは本発明と従来の画質の比較を表すグラフである。
【図１１】  図１１はフレーム別のインバージョン方式でのマルチプレクサのターン・オンの周期を表す波形図である。
【図１２】   図１２は液晶表示装置に供給されるマルチプレクサでの奇数及び偶数のピクセルの電圧波形を表す波形図である。
【符号の説明】
１：データドライバ
２：マルチプレクサブロック
３：液晶パネル
【図１】
0004124983.tif 000002
【図２】
0004124983.tif 000003
【図３】
0004124983.tif 000004
【図４】
0004124983.tif 000005
【図５】
0004124983.tif 000006
【図６】
0004124983.tif 000007
【図７】
0004124983.tif 000008
【図８】
0004124983.tif 000009
【図９】
0004124983.tif 000010
【図１０】
0004124983.tif 000011
0004124983.tif 000012
【図１１】
0004124983.tif 000013
0004124983.tif 000014
0004124983.tif 000015
0004124983.tif 000016
【図１２】
0004124983.tif 000017